(57)【要約】【課題】動力回収機での動力の回収の停止時に、循環流路のうち蒸発部と膨張機との間の部位が高温になりすぎることを回避可能な熱エネルギー回収装置を提供する。【解決手段】蒸発器（１０）と、膨張機（１２）と、動力回収機（１４）と、凝縮器（１６）と、ポンプ（１８）と、循環流路（２０）と、ポンプ（１８）から流出した液相の作動媒体の一部を循環流路（２０）のうち蒸発器（１０）と膨張機（１２）との間の部位に供給する冷却流路（３０）と、冷却流路（３０）に設けられた開閉弁（Ｖ１）と、制御部（４０）と、を備え、制御部（４０）は、動力回収機（１４）での動力の回収を停止する停止信号を受信すると、開閉弁（Ｖ１）を開くこと。【選択図】図１
2018127970.tif 000002
【特許請求の範囲】
【請求項１】
作動媒体を蒸発させる蒸発器と、
前記蒸発器から流出した作動媒体を膨張させる膨張機と、
前記膨張機に接続された動力回収機と、
前記膨張機から流出した作動媒体を凝縮させる凝縮器と、
前記凝縮器から流出した作動媒体を前記蒸発器へ送るポンプと、
前記蒸発器、前記膨張機、前記凝縮器及び前記ポンプをこの順に接続する循環流路と、
前記ポンプから流出した液相の作動媒体の一部を前記循環流路のうち前記蒸発器と前記膨張機との間の部位に供給する冷却流路と、
前記冷却流路に設けられた開閉弁と、
制御部と、を備え、
前記制御部は、前記動力回収機での動力の回収を停止する停止信号を受信すると、前記開閉弁を開く、熱エネルギー回収装置。
【請求項２】
請求項１に記載の熱エネルギー回収装置において、
前記制御部は、前記開閉弁を開いた後、前記循環流路のうち前記蒸発器と前記膨張機との間の部位の温度が基準温度以下に維持されるように前記ポンプの回転数を低下させる、熱エネルギー回収装置。
【発明の詳細な説明】
【技術分野】
【０００１】
本発明は、熱エネルギー回収装置に関する。
【背景技術】
【０００２】
従来、工場等の各種設備の排熱から動力を回収する熱エネルギー回収装置が知られている。例えば、特許文献１には、加熱器と、膨張機と、発電機と、凝縮器と、循環ポンプと、蒸発器、膨張機、凝縮器及び循環ポンプをこの順に接続する循環流路と、冷却用通路と、冷却用通路に設けられた冷却用弁と、を備える発電装置（熱エネルギー回収装置）が開示されている。
【０００３】
加熱器は、作動媒体を蒸発させる。膨張機は、蒸発器から流出した作動媒体を膨張させる。発電機は、膨張機の駆動により電力を生成する。凝縮器は、膨張機から流出した作動媒体を凝縮させる。循環ポンプは、凝縮器から流出した作動媒体を加熱器へ送出する。冷却用通路は、循環ポンプから吐出された液相の作動媒体の一部が循環流路のうち加熱器と膨張機との間の部位に供給されるように、循環流路における循環ポンプの下流側の部位と循環流路における加熱器の下流側の部位とを接続している。このため、加熱器から流出した作動媒体は、冷却用通路を通じて供給される液相の作動媒体によって冷却される。また、循環流路のうち加熱器と膨張機との間の部位には、遮断弁が設けられている。
【０００４】
この熱エネルギー回収装置は、当該装置の運転中において、循環流路のうち加熱器と膨張機との間の部位の作動媒体が過熱状態であってかつ当該部位の作動媒体の温度が基準温度を超えることがないように冷却用弁を制御する制御部を有している。このため、作動媒体が気液二相の状態で膨張機に流入することが抑制され、かつ、循環流路のうち加熱器と膨張機との間の部位が高温になりすぎること（遮断弁やフランジのパッキン等に耐熱部材の使用が要求されること）が回避される。
【先行技術文献】
【特許文献】
【０００５】
【特許文献１】特開２０１５−１９０３６４号公報
【発明の概要】
【発明が解決しようとする課題】
【０００６】
特許文献１に記載される発電装置では、当該装置の定常運転中においては、循環流路のうち加熱器と膨張機との間の部位が高温になりすぎることが回避されるものの、当該装置の停止時、すなわち、膨張機及び発電機を停止させる停止信号を制御部が受信してから膨張機、発電機及びポンプが完全に停止するまでの間に前記部位が高温になりすぎることの対策については、なんら言及されていない。
【０００７】
本発明の目的は、動力回収機での動力の回収の停止時に、循環流路のうち蒸発部と膨張機との間の部位が高温になりすぎることを回避可能な熱エネルギー回収装置を提供することである。
【課題を解決するための手段】
【０００８】
前記の目的を達成するため、本発明は、作動媒体を蒸発させる蒸発器と、前記蒸発器から流出した作動媒体を膨張させる膨張機と、前記膨張機に接続された動力回収機と、前記膨張機から流出した作動媒体を凝縮させる凝縮器と、前記凝縮器から流出した作動媒体を前記蒸発器へ送るポンプと、前記蒸発器、前記膨張機、前記凝縮器及び前記ポンプをこの順に接続する循環流路と、前記ポンプから流出した液相の作動媒体の一部を前記循環流路のうち前記蒸発器と前記膨張機との間の部位に供給する冷却流路と、前記冷却流路に設けられた開閉弁と、制御部と、を備え、前記制御部は、前記動力回収機での動力の回収を停止する停止信号を受信すると、前記開閉弁を開く、熱エネルギー回収装置を提供する。
【０００９】
本熱エネルギー回収装置では、制御部は、動力回収機での動力の回収を停止する停止信号を受信すると開閉弁を開くので、動力回収機が停止動作に入った後（動力回収機の回転数が低下し始めた後）、蒸発器から流出した気相の作動媒体が冷却流路を通じて供給された液相の作動媒体によって有効に冷却される。よって、動力回収機での動力の回収の停止時に、循環流路のうち蒸発器と膨張機との間の部位が高温になりすぎることが抑制される。
【００１０】
この場合において、前記制御部は、前記開閉弁を開いた後、前記循環流路のうち前記蒸発器と前記膨張機との間の部位の温度が基準温度以下に維持されるように前記ポンプの回転数を低下させることが好ましい。
【００１１】
このようにすれば、前記部位が高温になりすぎることが抑制されつつ動力回収機及びポンプが停止される。
【発明の効果】
【００１２】
以上のように、本発明によれば、動力回収機での動力の回収の停止時に、循環流路のうち蒸発部と膨張機との間の部位が高温になりすぎることを回避可能な熱エネルギー回収装置を提供することができる。
【図面の簡単な説明】
【００１３】
【図１】本発明の一実施形態の熱エネルギー回収装置の構成を概略的に示す図である。
【図２】制御部の制御内容を示すフローチャートである。
【発明を実施するための形態】
【００１４】
本発明の一実施形態の熱エネルギー回収システムについて、図１及び図２を参照しながら説明する。
【００１５】
図１に示されるように、本熱エネルギー回収システムは、蒸発器１０と、膨張機１２と、動力回収機１４と、凝縮器１６と、ポンプ１８と、蒸発器１０、膨張機１２、凝縮器１６及びポンプ１８をこの順に接続する循環流路２０と、冷却流路３０と、制御部４０と、を備えている。
【００１６】
蒸発器１０は、作動媒体と加熱媒体とを熱交換させることによって作動媒体を蒸発させる。
【００１７】
膨張機１２は、循環流路２０のうち蒸発器１０の下流側の部位に設けられている。膨張機１２は、蒸発器１０から流出した気相の作動媒体を膨張させる。本実施形態では、膨張機１２として、気相の作動媒体の膨張エネルギーにより回転駆動されるロータを有する容積式のスクリュ膨張機が用いられている。
【００１８】
動力回収機１４は、膨張機１２に接続されている。本実施形態では、動力回収機１４として発電機が用いられている。この動力回収機１４は、膨張機１２の前記ロータに接続された回転軸を有している。動力回収機１４は、前記回転軸が前記ロータの回転に伴って回転することにより電力を発生させる。なお、動力回収機１４として、圧縮機等が用いられてもよい。
【００１９】
凝縮器１６は、循環流路２０のうち膨張機１２の下流側の部位に設けられている。凝縮器１６は、膨張機１２から流出した作動媒体と冷却媒体（冷却水等）とを熱交換させることによって作動媒体を凝縮させる。
【００２０】
ポンプ１８は、循環流路２０における凝縮器１６の下流側の部位（凝縮器１６と蒸発器１０との間の部位）に設けられている。ポンプ１８は、凝縮器１６から流出した液相の作動媒体を所定の圧力で蒸発器１０に送る。
【００２１】
冷却流路３０は、ポンプ１８から吐出された液相の作動媒体の一部が循環流路２０のうち蒸発器１０と膨張機１２との間の部位に供給されるように、循環流路２０のうちポンプ１８の下流側の部位と循環流路２０のうち蒸発器１０の下流側の部位とを接続している。本実施形態では、循環流路２０は、蒸発器１０と膨張機１２との間に形成された被冷却部２２を有しており、冷却流路３０の下流側の端部は、その被冷却部２２の上部に接続されている。このため、ポンプ１８から吐出された液相の作動媒体の一部は、冷却流路３０を経由して被冷却部２２内に供給される。これにより、蒸発器１０から流出した気相の作動媒体が被冷却部２２において有効に冷却される。被冷却部２２は、循環流路２０における蒸発器１０と膨張機１２との間の他の部位の径よりも大きな径を有している。なお、図１には、被冷却部２２の下部に液相の作動媒体が溜まっている状態が示されている。
【００２２】
本実施形態の熱エネルギー回収装置は、冷却流路３０に設けられており開度調整が可能な開閉弁Ｖ１と、循環流路２０のうち被冷却部２２と膨張機１２との間の部位に設けられた遮断弁Ｖ２と、遮断弁Ｖ２及び膨張機１２をバイパスするバイパス流路３２と、バイパス流路３２に設けられたバイパス弁Ｖ３と、をさらに備えている。各弁Ｖ１〜Ｖ３は、開閉可能に構成されている。なお、熱エネルギー回収装置の定常運転時においては、遮断弁Ｖ２は開いており、バイパス弁Ｖ３は閉じている。
【００２３】
制御部４０は、動力回収機１４での動力（本実施形態では電力）の回収中（膨張機１２、動力回収機１４及びポンプ１８の駆動中）において、動力回収機１４での動力の回収を停止する停止信号を受信すると、被冷却部２２の冷却、つまり、ポンプ１８から吐出された液相の作動媒体の一部の冷却流路３０を通じた被冷却部２２への供給を開始する。その後、制御部４０は、循環流路２０のうち蒸発器１０と膨張機１２との間の部位の温度が基準温度Ｔ１以下に維持されるようにポンプ１８の回転数を低下させる。なお、前記停止信号は、オペレータが当該装置の停止操作を行ったときに制御部４０に送信される信号や、動力回収機１４（本実施形態では発電機）の異常を示す信号等を意味する。以下、図２を参照しながら、制御部４０の制御内容について説明する。
【００２４】
制御部４０は、前記停止信号を受信すると、開閉弁Ｖ１を開き、遮断弁Ｖ２を閉じ、バイパス弁Ｖ３を開く（ステップＳ１１）。これにより、ポンプ１８から吐出された液相の作動媒体の一部が被冷却部２２に供給されるので、蒸発器１０から流出した気相の作動媒体が被冷却部２２において有効に冷却される。また、被冷却部２２で冷却された作動媒体は、バイパス流路３２を経由して凝縮器１６へ向かう。なお、ステップＳ１１と同時、あるいは、その前に、膨張機１２及び動力回収機１４の回転数を低下させてもよい。
【００２５】
その後、制御部８０は、ポンプ１８の回転数を低下させる（ステップＳ１２）。これにより、冷却流路７０を通じて被冷却部２２に供給される液相の作動媒体の流量（被冷却部２２での冷却量）が低下する。一方で、蒸発器１０への加熱媒体の供給が継続されると、蒸発器１０内に存在する液相の作動媒体の蒸発及び蒸発器１０から流出した気相の作動媒体の被冷却部２２への流入が継続されるので、循環流路２０のうち蒸発器１０と膨張機１２との間の部位の温度Ｔが上昇する場合がある。なお、前記温度Ｔは、循環流路２０のうち被冷却部２２と遮断弁Ｖ２との間の部位に設けられた温度センサ４２により検出される。
【００２６】
本実施形態では、制御部４０は、ポンプ１８の回転数を低下させた後（ステップＳ１２の後）、循環流路２０のうち蒸発器１０と膨張機１２との間の部位の温度Ｔが基準温度Ｔ１（例えば１３０℃）以下か否かを判定する（ステップＳ１３）。
【００２７】
この結果、前記温度Ｔが基準温度Ｔ１以下である場合に、制御部４０は、ステップＳ１２に戻る、つまり、ポンプ１８の回転数をさらに低下させる。このため、前記部位の温度Ｔが基準温度Ｔ１に維持されつつポンプ１８が安定的に停止される。なお、ステップＳ１３でＮＯの場合、制御部４０は、再びステップＳ１３に戻る。
【００２８】
以上のように、本熱エネルギー回収装置では、制御部４０は、動力回収機１４での動力の回収を停止する停止信号を受信すると開閉弁Ｖ１を開くので、動力回収機１４が停止動作に入った後（動力回収機１４の回転数が低下し始めた後）、蒸発器１０から流出した気相の作動媒体が冷却流路３０を通じて供給された液相の作動媒体によって有効に冷却される。よって、動力回収機１４での動力の回収の停止時に、循環流路２０のうち蒸発器１０と膨張機１２との間の部位が高温になりすぎることが抑制される。したがって、遮断弁Ｖ２やバイパス弁Ｖ３のパッキンに耐熱部材を用いることが不要となる。
【００２９】
また、制御部４０は、開閉弁Ｖ１を開いた後、前記温度Ｔが基準温度Ｔ１以下に維持されるようにポンプ１８の回転数を低下させるので、前記部位が高温になりすぎることが抑制されつつ動力回収機１４及びポンプ１８が停止される。
【００３０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
例えば、被冷却部２２の径は、循環流路２０における蒸発器１０と膨張機１２との間の他の部位の径と同じに設定されてもよい。
【符号の説明】
【００３２】
１０    蒸発器
１２    膨張機
１４    動力回収機
１６    凝縮器
１８    ポンプ
２０    循環流路
３０    冷却流路
３２    バイパス流路
４０    制御部
Ｖ１    開閉弁
Ｖ２    遮断弁
Ｖ３    バイパス弁
【図１】
2018127970.tif 000003
【図２】
2018127970.tif 000004